(57)【要約】【課題】    ピアス等の装飾具を立体感のある装飾性の高い展示形態で陳列することができる装飾具のディスプレイ装置を提供する。【解決手段】  ピアス(10)(10)…やイヤリング等の各種装飾具を陳列するディスプレイ装置において、複数の装飾具を横方向に並べた状態で吊り下げ支持する複数の支持部(２)(２)…を上下方向に間隔を空けて設け、これら支持部(２)(２)…のうち一部又は全部の支持部(２)(２)…を、その前方への張り出し量が異なった状態で配置する。【選択図】  図１
2006192120.tif 000002
【特許請求の範囲】
【請求項１】
ピアスやイヤリング等の各種装飾具を陳列するディスプレイ装置であって、複数の装飾具を横方向に並べた状態で吊り下げ支持する複数の支持部が上下方向に間隔を空けて設けられ、これら支持部のうち一部又は全部の支持部は、その前方への張り出し量が異なった状態で配置されていることを特徴とする装飾具のディスプレイ装置。
【請求項２】
前記支持部のうち少なくとも上部側に設けられた支持部は、その前方への張り出し量が上方へ向かうに連れて漸増した状態で配置されている請求項１記載の装飾具のディスプレイ装置。
【請求項３】
前記少なくとも上部側に設けられた支持部において、上下に隣接する支持部の前記張り出し量の差が、上方へ向かうに連れて増大している請求項２記載の装飾具のディスプレイ装置。
【請求項４】
前記少なくとも上部側に設けられた支持部において、上下に隣接する支持部の前方への張り出し量の差が略一定となっている請求項２記載の装飾具のディスプレイ装置。
【請求項５】
前記支持部は、装飾具を保持する保持板のフック部を引っ掛ける帯板材又は棒材からなる請求項１乃至４のいずれかに記載の装飾具のディスプレイ装置。
【発明の詳細な説明】
【技術分野】
【０００１】
この発明は、主として、ピアスやイヤリング等の装飾具を販売する店舗において、それらの装飾具を陳列するために設置される装飾具のディスプレイ装置に関する。
【背景技術】
【０００２】
ピアスやイヤリング等の装飾具を販売する店舗等において、それら装飾具の陳列には、横方向に沿った帯板材が上下方向に間隔を空けて複数設けられたディスプレイ装置が従来より用いられている。この種のディスプレイ装置を用いる場合、例えば特許文献１に開示されているように、複数の装飾具を保持する保持板を帯板材に引っ掛けることで、それら装飾具が吊り下げられた状態で陳列される。
【０００３】
【特許文献１】実開平８−９８５号公報
【発明の開示】
【発明が解決しようとする課題】
【０００４】
しかし、この種のディスプレイ装置では、すべての帯板材が同一鉛直面上に配置されていて、それら帯板材に吊り下げられる装飾具は、平面的に展示され、立体感を感じられない平凡な展示形態で陳列されていた。
【０００５】
そこで、この発明は、上記のような不具合を解消して、装飾具を立体感のある装飾性の高い展示形態で陳列することができる装飾具のディスプレイ装置を提供することを目的とする。
【課題を解決するための手段】
【０００６】
上記の課題を解決するため、この発明における装飾具のディスプレイ装置は、ピアスやイヤリング等の各種装飾具を陳列するディスプレイ装置であって、複数の装飾具を横方向に並べた状態で吊り下げ支持する複数の支持部が上下方向に間隔を空けて設けられ、これら支持部のうち一部又は全部の支持部は、その前方への張り出し量が異なった状態で配置されていることを特徴とする。
【０００７】
また、前記支持部のうち少なくとも上部側に設けられた支持部は、その前方への張り出し量が上方へ向かうに連れて漸増した状態で配置されている。
【０００８】
さらに、前記少なくとも上部側に設けられた支持部において、上下に隣接する支持部の前記張り出し量の差が、上方へ向かうに連れて増大している。
【０００９】
場合によっては、前記少なくとも上部側に設けられた支持部において、上下に隣接する支持部の前方への張り出し量の差が略一定となっている。
【００１０】
また、前記支持部は、装飾具を保持する保持板のフック部を引っ掛ける帯板材又は棒材からなる。
【発明の効果】
【００１１】
この発明における装飾具のディスプレイ装置は、装飾具を吊り下げ支持する支持部のうち一部又は全部の支持部が、その前方への張り出し量が異なった状態で配置されているため、これら支持部によって吊り下げ支持される装飾具の前後方向の位置を高さ毎に異ならせることができ、全体として凹凸を有する立体的な展示形態で装飾具を陳列することができる。
【００１２】
特に、少なくとも上部側の支持部を、その前方への張り出し量が上方へ向かうに連れて漸増した状態で配置することで、支持部から吊り下げられた装飾具が、ディスプレイ装置の前に立った人に覆い被さるような状態で垂れ下がって、装飾具の展示形態を恰も藤棚のような外観にして、ディスプレイ形態の装飾性を格段に向上させることができる。
【発明を実施するための最良の形態】
【００１３】
以下、この発明の実施形態を図面に基づいて詳細に説明する。図１において、(１)は、この発明の第１の実施形態に係る装飾具のディスプレイ装置を示している。このディスプレイ装置(１)は、主としてピアス(10)(10)…を陳列するのに用いられるが、ピアス(10)(10)…以外にも、イヤリング、ブローチ、ペンダント等の各種装飾具を陳列するのに用いても良い。
【００１４】
ディスプレイ装置(１)は、左右方向に間隔を空けて設けられた一対の側板(３)(３)を備えている。側板(３)(３)は、図２に示すように、全体として帯状に形成され、その上部側が前方へ張り出すように湾曲している。
【００１５】
側板(３)(３)の下側には、それら側板(３)(３)の下端間に跨って底板(４)が連結されている。また、側板(３)(３)の後方には、側板(３)(３)の後端間に跨って背板(５)が連結されている。その背板(５)の表面には、色彩や模様等のデザインが施され、ディスプレイ装置(１)の装飾性が高められている。
【００１６】
そして、このディスプレイ装置(１)には、複数のピアス(10)(10)…を横方向に並べた状態で吊り下げ支持する複数の支持部(２)(２)…としての帯板材が、上下方向に間隔を空けて設けられている。これら帯板材(２)(２)…は、左右一対の側板(３)(３)間に差し渡された状態で横方向に沿って設けられ、それら側板(３)(３)に固定されている。
【００１７】
帯板材(２)(２)…は、上下方向の幅が例えば７ｍｍ〜８ｍｍとされ、前後方向の厚さが例えば３ｍｍとされている。また、上下に隣接する帯板材(２)(２)…間の隙間は、例えば４０ｍｍ〜５０ｍｍとされている。
【００１８】
それら帯板材(２)(２)…のうち一部の帯板材(２)(２)…は、その前方への張り出し量が異なった状態で配置されている。具体的に言うと、下端側から中間部にかけて設けられた帯板材(２)(２)…は、その前方への張り出し量が略等しい状態で配置され、中間部よりも上部側に設けられた帯板材(２)(２)…は、その前方への張り出し量が上方へ向かうに連れて漸増した状態で配置されている。
【００１９】
上部側の帯板材(２)(２)…の高さは、ディスプレイ装置(１)の前に立った人の目線の高さとほぼ同じかそれよりも高くなるように設定されている。また、それら上部側の帯板材(２)(２)…において、上下に隣接する帯板材(２)(２)…の張り出し量の差は、その最下部において例えば１０ｍｍであり、上方へ向かうに連れて増大している。このようにして、上部側の帯板材(２)(２)…は、側板(３)(３)の形状に沿うようにして湾曲した曲面上に配置されている。
【００２０】
以上の構成からなるディスプレイ装置(１)は、適当な高さを有する陳列台の上面又は床面に底板(４)を固定したり、壁側に背板(５)を固定するなどして設置される。
【００２１】
このディスプレイ装置(１)は、特にぶら下がりタイプのピアス(10)(10)…を陳列するのに適している。ぶら下がりタイプのピアス(10)(10)…をディスプレイ装置(１)を用いて陳列する際、それぞれのピアス(10)(10)…は、図３及び図４に示すように、そのぶら下がり部(11)(11)…の上端側が保持板(15)(15)…に固定された状態で陳列される。
【００２２】
すなわち、そのようにして保持板(15)(15)…に保持された状態のピアス(10)(10)…は、保持板(15)(15)…の上端部をコ字形に屈曲してなるフック部(16)(16)…を帯板材(２)に引っ掛けることで、保持板(15)(15)…を介して帯板材(２)に吊り下げ支持される。
【００２３】
このようにして、各帯板材(２)(２)…から、複数のピアス(10)(10)…を横方向に沿って並べた状態で吊り下げて陳列することで、特に上部側の帯板材(２)(２)…から吊り下げられたピアス(10)(10)…のぶら下がり部(11)(11)…が、ディスプレイ装置(１)の前に立った人に覆い被さるような状態で垂れ下がって、恰も藤棚のような外観となり、展示形態の装飾性が格段に向上するようになっている。
【００２４】
なお、第１の実施形態において、帯板材(２)(２)…は、左右の側板(３)(３)に固定されているが、側板(３)(３)に対して着脱可能としても良い。また、その場合は、帯板材(２)(２)…の側板(３)(３)への取付け位置を変更することで、展示形態を適宜変更できるようにしても良い。
【００２５】
さらに、第１の実施形態において、上部側の帯板材(２)(２)…においてのみ、その前方への張り出し量が上方へ向かうに連れて漸増した状態で配置されているが、下端側から上端側までのすべての帯板材(２)(２)…を、その前方への張り出し量が上方へ向かうに連れて漸増した状態で配置するようにしても良い。
【００２６】
図５は、この発明の第２の実施形態に係る装飾具のディスプレイ装置(21)を示している。このディスプレイ装置(21)において、側板(３)(３)は、その上部側が前方へ傾くように張り出して、全体として略く字状に屈曲した帯状に形成されている。
【００２７】
それら側板(３)(３)間には、第１の実施形態と同様、複数の帯板材(２)(２)…が、上下方向に上記間隔を空けて設けられている。それら帯板材(２)(２)…のうち、下端側から中間部にかけて設けられた帯板材(２)(２)…は、その前方への張り出し量が略等しい状態で配置され、中間部よりも上部側に設けられた帯板材(２)(２)…は、その前方への張り出し量が上方へ向かうに連れて漸増した状態で配置されている。
【００２８】
そして、上部側の帯板材(２)(２)…において、上下に隣接する帯板材(２)(２)…の張り出し量の差は略一定となっており、それぞれの張り出し量の差は例えば１０ｍｍとされている。このようにして、上部側の帯板材(２)(２)…は、側板(３)(３)の形状に沿うようにして、前方に向かって斜め上方へ傾いた平らな傾斜面上に配置されている。
【００２９】
このディスプレイ装置(21)を用いてピアス(10)(10)…等の装飾具を陳列すると、第１実施形態と同様、特に上部側の帯板材(２)(２)…から吊り下げられた装飾具が、ディスプレイ装置(21)の前に立った人に覆い被さるような状態で垂れ下がって、恰も藤棚のような外観となり、展示形態の装飾性が格段に向上するようになっている。
【００３０】
なお、第２の実施形態におけるその他の構成及び効果は、第１の実施形態と同様であり、図において、第１の実施形態と同様の機能を有する部材については同符号を付してある。
【００３１】
図６は、この発明の第３の実施形態に係る装飾具のディスプレイ装置(31)を示している。このディスプレイ装置(31)において、側板(３)(３)は、その下端から上端にかけて前方に向かって斜め上方へ傾いた帯状に形成されている。また、ディスプレイ装置(31)の高さは、このディスプレイ装置(31)の前に立った人の目線の高さよりも高くなるように設定されている。
【００３２】
そして、この実施形態では、下端側から上端側まで全ての帯板材(２)(２)…が、その前方への張り出し量が異なった状態で配置され、具体的には、その前方への張り出し量が上方へ向かうに連れて漸増した状態で配置されている。また、それら全ての帯板材(２)(２)…において、上下に隣接する帯板材(２)(２)…の張り出し量の差が略一定となっており、それぞれの張り出し量の差は例えば１０ｍｍとされている。このようにして、全ての帯板材(２)(２)…は、側板(３)(３)の形状に沿うようにして、前方に向かって斜め上方へ傾いた平らな傾斜面上に配置されている。
【００３３】
このディスプレイ装置(31)を用いてピアス(10)(10)…等の装飾具を陳列すると、帯板材(２)(２)…から吊り下げられた装飾具が、ディスプレイ装置(31)の前に立った人に覆い被さるような状態で垂れ下がって、恰も藤棚のような外観となり、展示形態の装飾性が格段に向上するようになっている。
【００３４】
なお、第３の実施形態におけるその他の構成及び効果は、第１の実施形態及び第２の実施形態と同様であり、図において、それらの実施形態と同様の機能を有する部材については同符号を付してある。
【００３５】
図７及び図８は、この発明の第４の実施形態に係る装飾具のディスプレイ装置(41)を示している。このディスプレイ装置(41)は、例えば壁(50)に取り付けられた取付け板(43)を備えている。取付け板(43)は、例えば矩形の板材からなり、左右両端において複数の係合穴(44)(44)…が上下方向に間隔を空けて設けられている。
【００３６】
このディスプレイ装置(41)においては、支持部としての帯板材(２)(２)…が着脱可能となっている。具体的に説明すると、帯板材(２)(２)…は、その左右両端において後方に向かって略直角に屈曲してなるアーム(45)(45)…を備え、それらアーム(45)(45)…の先端は、図８に示すように、取付け板(43)の係合穴(44)(44)…に係合可能となっている。そして、アーム(45)(45)…先端を係合穴(44)(44)…に係脱させることで、帯板材(２)(２)…を着脱できるようになっている。
【００３７】
各帯板材(２)(２)…において、左右のアーム(45)(45)…の長さは互いに等しく、それらアーム(45)(45)…の長さは、帯板材(２)(２)…ごとに適宜設定される。そして、帯板材(２)(２)…は、その取付け状態における前方への張り出し量が、アーム(45)(45)…の長さによって決定されるようになっている。
【００３８】
したがって、アーム(45)(45)…の長さが異なる帯板材(２)(２)…を、任意の高さ位置に取り付けることで、帯板材(２)(２)…の前方への張り出し量が高さ毎に異なって、ピアス(10)(10)…等の装飾具を、凹凸を有する立体的な展示形態で展示できるようになっている。
【００３９】
例えば、図７に示すように、ディスプレイ装置(１)の上部側において、上方に向かうに連れてアーム(45)(45)…の長い帯板材(２)(２)…を取り付けるようにすることで、帯板材(２)(２)…を、その前方への張り出し量が上方へ向かうに連れて漸増した状態で配置することができる。
【００４０】
このような帯板材(２)(２)…の取付け状態において、ディスプレイ装置(41)を用いてピアス(10)(10)…等の装飾具を陳列すると、第１の実施形態及び第２の実施形態と同様に、特に上部側の帯板材(２)(２)…から吊り下げられた装飾具が、ディスプレイ装置(41)の前に立った人に覆い被さるような状態で垂れ下がって、恰も藤棚のような外観となり、展示形態の装飾性が格段に向上するようになっている。
【００４１】
また、帯板材(２)(２)…が着脱可能であるため、高さ毎にアーム(45)(45)…の長さが異なる帯板材(２)(２)…に適宜付け替えることで、展示形態を手軽に変更できるようになっている。
【００４２】
なお、第４の実施形態において、帯板材(２)(２)…は、取付け板(43)に着脱可能となっているが、壁側に直接着脱できるようにしても良い。
【００４３】
また、第４の実施形態におけるその他の構成及び効果は、上記の第１乃至第３の実施形態と同様であり、図において、それらの実施形態と同様の機能を有する部材については同符号を付してある。
【００４４】
この発明は、上記実施形態に限定されるものではなく、この発明の範囲内で上記実施形態に多くの修正及び変更を加え得ることは勿論である。例えば、支持部としては、保持板(15)のフック部(16)を引っ掛けるものであれば、上記の帯板材(２)(２)…に限られず棒材を用いても良い。或いは、適宜形状の板材に、横方向に長い複数の長穴を上下方向に間隔を空けて設けて、それら長穴を支持部として用いることも考えられる。
【図面の簡単な説明】
【００４５】
【図１】第１の実施形態に係るディスプレイ装置を示す斜視図である。
【図２】同じくその縦断面図である。
【図３】ピアスを陳列した状態を示す縦断面図である。
【図４】同じくその一部を拡大した斜視図である。
【図５】第２の実施形態に係るディスプレイ装置を示す斜視図である。
【図６】第３の実施形態に係るディスプレイ装置を示す斜視図である。
【図７】第４の実施形態に係るディスプレイ装置を示す斜視図である。
【図８】同じくその要部を示す分解斜視図である。
【符号の説明】
【００４６】
(１)  ディスプレイ装置
(２)  帯板材(支持部)
(10)  ピアス(装飾具)
(15)  保持板
(16)  フック部
【図１】
2006192120.tif 000003
【図２】
2006192120.tif 000004
【図３】
2006192120.tif 000005
【図４】
2006192120.tif 000006
【図５】
2006192120.tif 000007
【図６】
2006192120.tif 000008
【図７】
2006192120.tif 000009
【図８】
2006192120.tif 000010